(57)【要約】【課題】  移動中であっても無線タグとの間における情報の授受を行うことが可能な情報処理装置を提供する。【解決手段】  送受信アンテナ１０が内蔵された把持部３と、把持部３を支持する支持部４であって、送受信アンテナ１０を介した無線通信により情報を受信するための受信処理を実行する処理回路を含む支持部４と、を備える。【選択図】  図１
2005352964.tif 000002
【特許請求の範囲】
【請求項１】
受信アンテナが内蔵された把持部と、
前記把持部を支持する支持部であって、前記受信アンテナを介した無線通信により情報を受信するための受信処理を実行する実行手段を含む支持部と、
を備えることを特徴とする吊革型の情報読取装置。
【請求項２】
請求項１に記載の情報読取装置において、
前記実行手段に対して電源電力を供給する電力供給手段を更に備えることを特徴とする情報読取装置。
【請求項３】
請求項１又は２に記載の情報読取装置において、
前記受信アンテナは、前記把持部の内部を貫通して設けられたループアンテナであることを特徴とする情報読取装置。
【請求項４】
請求項１又は２に記載の情報読取装置において、
前記受信アンテナは、前記把持部の内部空間内に設けられたバー型アンテナであることを特徴とする情報読取装置。
【請求項５】
請求項１から４のいずれか一項に記載の情報読取装置において、
前記情報は、無線タグから送信された情報であることを特徴とする情報読取装置。
【請求項６】
送信アンテナが内蔵された把持部と、
前記把持部を支持する支持部であって、前記送信アンテナを介した無線通信により情報を送信するための送信処理を実行する実行手段を内蔵した支持部と、
を備えることを特徴とする吊革型の情報書込装置。
【請求項７】
請求項６に記載の情報書込装置において、
前記実行手段に対して電源電力を供給する電力供給手段を更に備えることを特徴とする情報書込装置。
【請求項８】
請求項６又は７に記載の情報書込装置において、
前記送信アンテナは、前記把持部の内部を貫通して設けられたループアンテナであることを特徴とする情報書込装置。
【請求項９】
請求項６又は７に記載の情報書込装置において、
前記送信アンテナは、前記把持部の内部空間内に設けられたバー型アンテナであることを特徴とする情報書込装置。
【請求項１０】
請求項５から９のいずれか一項に記載の情報書込装置において、
前記情報は、無線タグにおいて受信される情報であることを特徴とする情報書込装置。
【請求項１１】
請求項１から５のいずれか一項に記載の情報読取装置と、
請求項６から１０のいずれか一項に記載の情報書込装置と、
を備える吊革型の情報処理装置であって、
前記受信アンテナと前記送信アンテナとが一体化した送受信兼用のアンテナを備えることを特徴とする情報処理装置。
【発明の詳細な説明】
【技術分野】
【０００１】
本発明は、情報読取装置及び情報書込装置並びに情報処理装置の技術分野に属し、より詳細には、無線通信により情報の授受を行う情報読取装置及び情報書込装置並びにこれらの装置を含む情報処理装置の技術分野に属する。
【背景技術】
【０００２】
近年、流通する商品個々に貼り付けられ、当該商品個々を識別するための情報を無線通信により送受信する、いわゆる無線タグに関する開発が盛んに行われている。
【０００３】
一般に、無線タグは、無線通信により当該無線タグに情報を書き込む情報書込装置又は当該無線タグから無線通信により情報を読み取る情報読取装置と共に用いられることでその機能を発揮するものであり、最近では空港における手荷物の流通管理に対して応用するための実験も行われ始めている。
【０００４】
ここで、従来の無線タグを含むシステムにおける上記情報書込装置及び情報読取装置は、一般には、例えば店舗や空港の手荷物出入り口等に固定的に設けられているのが一般的であった。
【発明の開示】
【発明が解決しようとする課題】
【０００５】
他方、近年では、個人を識別するための識別情報が記録されている無線タグを当該個人が携行し、移動先においてその識別情報を読み取らせて当該個人に適した情報の提供を実現するためのシステムが考案されているが、その際でも、その情報提供に供される上記情報読取装置や情報書込装置はいずれも固定的なものでしかなく、移動中等、情報提供の機会を逸しているという問題点があった。
【０００６】
そこで、本発明は上記の問題点に鑑みて為されたもので、その課題は、移動中であっても無線タグとの間における情報の授受を行うことが可能な情報読取装置及び情報書込装置並びにこれらの装置を含む情報処理装置を提供することにある。
【課題を解決するための手段】
【０００７】
上記の課題を解決するために、請求項１に記載の発明は、受信アンテナが内蔵された把持部と、前記把持部を支持する支持部であって、前記受信アンテナを介した無線通信により情報を受信するための受信処理を実行する信号処理部等の実行手段を含む支持部と、を備える吊革型の情報読取装置である。
【０００８】
よって、吊革型の形態における把持部内に受信アンテナが内蔵されていると共に、その受信アンテナを用いた情報の受信処理を行う実行手段が上記把持部を支持する支持部に含まれているので、当該情報読取装置を移動体内の必要な場所に設けることで、当該移動中においても無線通信による情報の受信処理を実行することができる。
【０００９】
上記の課題を解決するために、請求項２に記載の発明は、請求項１に記載の情報読取装置において、前記実行手段に対して電源電力を供給する電力供給手段を更に備える。
【００１０】
よって、電力供給手段を自ら備えているので、電力を集中供給するための大規模な電力供給設備を移動体内に設ける必要がない。
【００１１】
上記の課題を解決するために、請求項３に記載の発明は、請求項１又は２に記載の情報読取装置において、前記受信アンテナは、前記把持部の内部を貫通して設けられたループアンテナであるように構成される。
【００１２】
よって、受信アンテナが把持部内を貫通するループアンテナであるので、低・中周波数帯域の情報を高感度で受信することができる。
【００１３】
上記の課題を解決するために、請求項４に記載の発明は、請求項１又は２に記載の情報読取装置において、前記受信アンテナは、前記把持部の内部空間内に設けられたバー型アンテナであるように構成される。
【００１４】
よって、受信アンテナが把持部内を貫通するバー型アンテナであるので、高周波数帯域の情報を高感度で受信することができる。
【００１５】
上記の課題を解決するために、請求項５に記載の発明は、請求項１から４のいずれか一項に記載の情報読取装置において、前記情報は、無線タグから送信された情報であるように構成される。
【００１６】
よって、移動中の交通手段内において無線タグからの情報を有効に受信することができる。
【００１７】
上記の課題を解決するために、請求項６に記載の発明は、送信アンテナが内蔵された把持部と、前記把持部を支持する支持部であって、前記送信アンテナを介した無線通信により情報を送信するための送信処理を実行する実行手段を内蔵した支持部と、を備える吊革型の情報書込装置である。
【００１８】
よって、吊革型の形態における把持部内に送信アンテナが内蔵されていると共に、その送信アンテナを用いた情報の送信処理を行う実行手段が上記把持部を支持する支持部に含まれているので、当該情報書込装置を移動体内の必要な場所に設けることで、当該移動中においても無線通信による情報の送信処理を実行することができる。
【００１９】
上記の課題を解決するために、請求項７に記載の発明は、請求項６に記載の情報書込装置において、前記実行手段に対して電源電力を供給する電力供給手段を更に備える。
【００２０】
よって、電力供給手段を自ら備えているので、電力を集中供給するための大規模な電力供給設備を移動体内に設ける必要がない。
【００２１】
上記の課題を解決するために、請求項８に記載の発明は、請求項６又は７に記載の情報書込装置において、前記送信アンテナは、前記把持部の内部を貫通して設けられたループアンテナであるように構成される。
【００２２】
よって、送信アンテナが把持部内を貫通するループアンテナであるので、低・中周波数帯域の情報を高感度で送信することができる。
【００２３】
上記の課題を解決するために、請求項９に記載の発明は、請求項６又は７に記載の情報書込装置において、前記送信アンテナは、前記把持部の内部空間内に設けられたバー型アンテナであるように構成される。
【００２４】
よって、送信アンテナが把持部内を貫通するバー型アンテナであるので、高周波数帯域の情報を高感度に送信することができる。
【００２５】
上記の課題を解決するために、請求項１０に記載の発明は、請求項５から９のいずれか一項に記載の情報書込装置において、前記情報は、無線タグにおいて受信される情報であるように構成される。
【００２６】
よって、移動中の交通手段内において、無線タグに対して情報を有効に送信することができる。
【００２７】
上記の課題を解決するために、請求項１１に記載の発明は、請求項１から５のいずれか一項に記載の情報読取装置と、請求項６から１０のいずれか一項に記載の情報書込装置と、を備える吊革型の情報処理装置であって、前記受信アンテナと前記送信アンテナとが一体化した送受信兼用のアンテナを備える。
【００２８】
よって、一のアンテナにより情報の送受信を行うので、移動体内における設置場所を節約しつつ有効に情報の送受信を行うことができる。
【発明の効果】
【００２９】
以上説明したように、請求項１に記載の発明によれば、吊革型の形態における把持部内に受信アンテナが内蔵されていると共に、その受信アンテナを用いた情報の受信処理を行う実行手段が上記把持部を支持する支持部に含まれているので、当該情報読取装置を移動体内の必要な場所に設けることで、当該移動中においても無線通信による情報の受信処理を実行することができる。
【００３０】
請求項２に記載の発明によれば、請求項１に記載の発明の効果に加えて、電力供給手段を自ら備えているので、電力を集中供給するための大規模な電力供給設備を移動体内に設ける必要がない。
【００３１】
請求項３に記載の発明によれば、請求項１又は２に記載の発明の効果に加えて、受信アンテナが把持部内を貫通するループアンテナであるので、低・中周波数帯域の情報を高感度で受信することができる。
【００３２】
請求項４に記載の発明によれば、請求項１又は２に記載の発明の効果に加えて、受信アンテナが把持部内を貫通するバー型アンテナであるので、高の周波数帯域の情報を高感度で受信することができる。
【００３３】
請求項５に記載の発明によれば、請求項１から４のいずれか一項に記載の発明の効果に加えて、移動中の交通手段内において無線タグからの情報を有効に受信することができる。
【００３４】
請求項６に記載の発明によれば、吊革型の形態における把持部内に送信アンテナが内蔵されていると共に、その送信アンテナを用いた情報の送信処理を行う実行手段が上記把持部を支持する支持部に含まれているので、当該情報書込装置を移動体内の必要な場所に設けることで、当該移動中においても無線通信による情報の送信処理を実行することができる。
【００３５】
請求項７に記載の発明によれば、請求項６に記載の発明の効果に加えて、電力供給手段を自ら備えているので、電力を集中供給するための大規模な電力供給設備を移動体内に設ける必要がない。
【００３６】
請求項８に記載の発明によれば、請求項６又は７に記載の発明の効果に加えて、送信アンテナが把持部内を貫通するループアンテナであるので、低・中周波数帯域の情報を高感度で送信することができる。
【００３７】
請求項９に記載の発明によれば、請求項６又は７に記載の発明の効果に加えて、送信アンテナが把持部内を貫通するバー型アンテナであるので、高周波数帯域の情報を高感度に送信することができる。
【００３８】
請求項１０に記載の発明によれば、請求項５から９のいずれか一項に記載の発明の効果に加えて、移動中の交通手段内において、無線タグに対して情報を有効に送信することができる。
【００３９】
請求項１１に記載の発明によれば、一のアンテナにより情報の送受信を行うので、移動体内における設置場所を節約しつつ有効に情報の送受信を行うことができる。
【発明を実施するための最良の形態】
【００４０】
次に、本発明を実施するための最良の形態について、図面に基づいて説明する。なお、以下に説明する実施形態は、電車の天井近くに複数設けられている吊革に対して本発明を適用した場合の実施の形態である。
【００４１】
（Ｉ）実施形態
始めに、本発明に係る実施形態について、図１乃至図２を用いて説明する。
【００４２】
なお、図１は実施形態に係る情報処理装置の概要構成を示すブロック図であり、図２は当該情報処理装置の細部構成を示すブロック図である。
【００４３】
図１に示すように、実施形態に係る情報処理装置１は、全体として吊革型を有するものであり、具体的には、樹脂製等よりなる把持部２と、帯状の皮革部３及び５と、皮革部３を介して把持部２を支持する支持部４と、皮革部５を介して支持部４、皮革部３及び把持部２を支持する円筒形の支持棒６と、により構成されている。
【００４４】
このとき、中空の把持部２内には、当該把持部２に接近した無線タグ１００との間で、無線通信による情報の授受を行うためのループアンテナ１０が挿入・固定されており、当該ループアンテナ１０は、皮革部３を介して支持部４に接続されている。
【００４５】
そして、支持部４内には、後述するように、当該ループアンテナ１０を介して情報の授受を行うための処理を行う処理回路が内蔵されており、当該処理回路は、皮革部５及び支持棒６内の貫通する接続線１１及び１２を介して、後述する中央処理装置２５との間で情報の授受を行うように構成されている。これに加えて、当該処理回路に対する電力供給のための電力線１３が、上記接続線１１及び１２と共に支持棒６及び皮革部５を介して支持部４に接続されている。
【００４６】
次に、上記支持部４の細部構成について、図２（ａ）を用いて説明する。
【００４７】
図２（ａ）に示すように、支持部４内には、上述した処理回路として、ＲＦ（Rapid Frequency）入出力部２０と、実行手段としての信号処理部２１と、が備えられている。
【００４８】
この構成において、ＲＦ入出力部２０には、ループアンテナ１０の二つの末端部が接続されている。そして、無線タグ１００からの情報を受信するときは、無線タグ１００から送信された電磁波によりループアンテナ１０に誘起された電気信号がＲＦ入出力部２０に入力され、当該電気信号に対応する受信信号ＳrrがＲＦ入出力部２０において生成されて信号処理部２１に出力される。
【００４９】
これにより、信号処理部２１は、当該受信信号Ｓrrに対して予め設定された復調処理を施して読取信号Ｓreadを生成し、上記接続線１１を介して中央処理部２５へ出力する。
【００５０】
一方、無線タグ１００に対して情報を書き込むときは、当該書き込まれるべき情報に対応する書込信号Ｓwrtが中央処理装置２５から接続線１２を介して信号処理部２１に送信される。
【００５１】
そして、当該信号処理部２１は書込信号Ｓwrtに対して予め設定されている変調処理を施し、送信信号ＳrwとしてＲＦ入出力部２０へ出力する。
【００５２】
これにより、ＲＦ入出力部２１は、当該送信信号Ｓrwをループアンテナ１０に出力し、無線タグ１００に向けて放射させる。
【００５３】
なお、上述した一連の送受信処理において、信号処理部２１及びＲＦ入出力部２０の動作に必要な電力は、電力信号Ｓpwとして上記電力線１３を介して中央処理装置２５から送信される。
【００５４】
次に、上記中央処理装置２５並びに情報処理装置１を含む情報処理システム全体の構成について、図２（ｂ）を用いて説明する。
【００５５】
図２（ｂ）に示すように、実施形態に係る情報処理システムＳは、複数の情報処理装置１内に夫々含まれている支持部４と、当該支持部４に対して接続線１１及び１２並びに電力線１３を介して夫々別個に接続されている上記中央処理装置２５と、により構成されている。
【００５６】
このとき、中央処理装置２５は、具体的には、情報処理システムＳが設けられた移動体の外部に設けられたアンテナ３０と、無線インターフェース部２９と、処理部２８と、上記接続線１１及び１２接続されたインターフェース部２７と、上記電力線１３に接続された電力供給部２６と、により構成されている。
【００５７】
この構成において、各支持部４に接続された電力線１３を介して電力信号Ｓpwを送信することにより、当該支持部４に対して必要な電源電力を供給している。
【００５８】
また、無線タグ１００から送信された情報をいずれかの情報処理装置１において受信する場合、各読取信号Ｓreadはインターフェース部２７に出力される。
【００５９】
そして、当該インターフェース部２７は、各支持部４からの読取信号Ｓreadを分別し、夫々の読取信号Ｓreadに対応するインターフェース信号Ｓifを生成して処理部２８に出力する。
【００６０】
これにより、処理部２８は、各読取信号Ｓread毎に対応するインターフェース信号Ｓifを処理し、処理信号Ｓppとして無線インターフェース部２９に出力する。
【００６１】
そして、無線インターフェース部２９は、当該処理信号Ｓppに対して予め設定されている変調処理を施し、外部送受信信号Ｓantとしてアンテナ３０を介して図示しない外部のサーバ装置等に対して送信する。
【００６２】
一方、当該サーバ装置から無線通信により送信されて来た、各無線タグ１００に対して書き込むべき情報は、アンテナ３０において受信され、外部送受信信号Ｓantとして無線インターフェース部２９へ出力される。
【００６３】
そして、無線インターフェース部２９は、当該外部送受信信号Ｓantに対して予め設定されている復調処理を施し、処理信号Ｓppとして処理部２８へ出力する。
【００６４】
これにより、処理部２８は、当該処理信号Ｓppに対し、それが送信されるべき無線タグ１００に対して送信するためのインターフェース処理を施し、インターフェース信号Ｓifとしてインターフェース部２７へ出力する。
【００６５】
そして、インターフェース部２７は、当該インターフェース信号Ｓifを分別し、上記書込信号Ｓwrtとして対応する支持部４へ出力する。これにより、当該書込信号Ｓwrtが対応する無線タグ１００に書き込まれる。
【００６６】
上述した情報処理システムＳの動作によれば、例えば個人を識別するための個人識別情報をその者が所持する無線タグ１００に書き込んでおき、情報処理装置１を介してそれを読み出して外部のサーバに送信することにより、当該個人識別情報により識別される者に適応した広告情報をその者が所持する携帯型の電話機に別途送信することで、その者に相応しい広告情報をよりタイムリーにその者に届ける等の情報提供サービスが可能となる。
【００６７】
以上説明したように、実施形態に係る情報処理装置１の動作によれば、吊革型の形態における把持部２内にループアンテナ１０が内蔵されていると共に、そのループアンテナ１０を用いた情報の送受信処理を行う処理回路が支持部４に含まれているので、当該情報処理装置１を電車・バス等の移動体内の必要な場所に設けることで、当該移動中においても無線通信による情報の受信処理を実行することができる。
【００６８】
また、把持部２内を貫通するループアンテナ１０により情報の送受信を行うので、広い周波数帯域の情報を高感度で受信することができる。
【００６９】
更に、移動中の交通手段内において無線タグ１００に対する情報の送受信を有効に行うことができる。
【００７０】
（II）変形形態
なお、上述した実施形態は下記の如く変形可能である。
【００７１】
すなわち、第一の変形形態として、図３に示す情報処理装置１Ａの如く、実施形態に係るループアンテナ１０に代えて把持部２内にバー型アンテナ４０及び４１を内蔵させ、その端部を支持部４内のＲＦ入出力部２０に接続してもよい。
【００７２】
この場合は、把持部２内を貫通するバー型アンテナ４０及び４１を用いて情報の送受信を行うので、特定の周波数帯域の情報を高感度で受信することができることになる。
【００７３】
ここで、無線タグ１００との間の無線通信に、いわゆる電磁誘導方式（使用される周波数としては、例えば１３．５６メガヘルツ以下）を用いる場合は上述した実施形態に係るループアンテナ１０を用い、一方、いわゆる電波方式（使用される周波数としては、例えば８００乃至９００メガヘルツ又は２．４５ギガヘルツ以上）を用いる場合は第一の変形形態に係るバー型アンテナ４０及び４１を用いることが可能である。
【００７４】
更に、第二の変形形態として、各支持部４内に夫々電池等を設け、各情報処理装置１毎に独立して電源電力の供給を行ってもよい。
【００７５】
この場合は、各情報処理装置１毎に独自の電源電力供給装置を備えているので、電力を集中供給するための大規模な電力供給設備を移動体内に設ける必要がないことになる。
【産業上の利用可能性】
【００７６】
以上夫々説明したように、本発明は無線タグとの間の無線通信による情報の授受の分野に利用することが可能であり、特に無線タグに対する情報の授受を行う送受信装置を電車やバス等の交通手段内に配置する場合に適用すれば特に顕著な効果が得られる。
【図面の簡単な説明】
【００７７】
【図１】実施形態の情報処理装置の概要構成を示すブロック図である。
【図２】実施形態の情報処理装置の構成を示す図であり、（ａ）は実施形態に係る支持部の構成を示すブロック図であり、（ｂ）は実施形態に係る情報処理装置を含む情報処理システムの概要構成を示すブロック図である。
【図３】第一の変形形態の情報処理装置の概要構成を示すブロック図である。
【符号の説明】
【００７８】
１、１Ａ    情報処理装置
２    把持部
３、５    皮革部
４    支持部
６    支持棒
１０    ループアンテナ
１１、１２    接続線
１３    電力線
２０    信号処理部
２１    ＲＦ入出力部
２５    中央処理装置
２６    電力供給部
２７    インターフェース部
２８    処理部
２９    無線インターフェース部
３０    アンテナ
４０、４１    バー型アンテナ
１００    無線タグ
Ｓ    情報処理システム
【図１】
2005352964.tif 000003
【図２】
2005352964.tif 000004
【図３】
2005352964.tif 000005